(57)【要約】【課題】  シートスルー方式のコンタクトガラス上に異物が付着した場合の異常画像と原稿画像とを簡単で見栄えが良く読み取り部から離れた構造で容易に確実に区別して原稿の読み取り画像を高品質で読み取り、省資源で高速で高品質の画像を形成する原稿画像読取装置、及び、その原稿画像読取装置を具備する画像形成装置を提供する。【解決手段】  原稿分離給送手段１で一枚ずつに分離して給送される原稿を読み取り部２に搬送する搬送手段３と、搬送手段３で読み取り部２に搬送される原稿の画像を読み取るライン状に配置された原稿画像読取手段４と、原稿画像読取手段４の配置されたラインＡ方向に対して原稿を所定角度（Ｘ）に傾けるように原稿分離給送手段１の原稿分離給送部にて原稿の給送方向の左右に給送速度差（Ｖ１＜Ｖ２）を形成する速度差形成手段５とからなる。【選択図】        図１
2006033531.tif 000002
【特許請求の範囲】
【請求項１】
ライン状に配置された原稿画像読取手段に対して相対移動する原稿の画像を読み取る原稿画像読取装置において、原稿束を一枚ずつに分離して給送する原稿分離給送手段と、上記原稿分離給送手段で一枚ずつに分離して給送される原稿を読み取り部に搬送する搬送手段と、上記搬送手段で上記読み取り部に搬送される原稿の画像を読み取るライン状に配置された原稿画像読取手段と、上記原稿画像読取手段が配置されたライン方向に対して原稿を所定角度に傾けるように原稿分離給送部にて原稿の給送方向の左右の給送速度に給送速度差を形成する速度差形成手段と、からなることを特徴とする原稿画像読取装置。
【請求項２】
請求項１に記載の原稿画像読取装置において、原稿画像読取手段は、読み取り画像データ上の筋のノイズ成分を検知するノイズ成分検知手段を備えることを特徴とする原稿画像読取装置。
【請求項３】
請求項２に記載の原稿画像読取装置において、原稿画像読取手段は、ノイズ成分検知手段の読み取る読み取り画像データ上の筋のノイズ成分の検知により異物検知の警告をする警告手段を備えることを特徴とする原稿画像読取装置。
【請求項４】
請求項２又は３に記載の原稿画像読取装置において、原稿画像読取手段は、ノイズ成分検知手段の読み取る読み取り画像データ上の筋のノイズ成分の検知により、読み取り部のコンタクトガラス上の異物を除去する異物除去手段を備えることを特徴とする原稿画像読取装置。
【請求項５】
請求項１、２、３又は４に記載の原稿画像読取装置において、速度差形成手段は、原稿画像読取手段の配置されたライン方向に対して原稿分離給送手段の原稿分離給送部における分離ローラの原稿の給送方向の左右のローラ径に左右差を付けて、上記原稿画像読取手段の配置されたライン方向に対して原稿を所定角度に傾けて読み取り部のコンタクトガラス上に搬送されるようにしたことを特徴とする原稿画像読取装置。
【請求項６】
請求項１、２、３、４又は５に記載の原稿画像読取装置において、速度差形成手段は、原稿画像読取手段の配置されたライン方向に対して原稿分離給送手段の原稿分離給送部における分離ローラの原稿の給送方向の左右の分離ローラの回転速度に左右差を付けて、上記原稿画像読取手段の配置されたライン方向に対して原稿を所定角度に傾けて読み取り部のコンタクトガラス上に搬送されるようにしたことを特徴とする原稿画像読取装置。
【請求項７】
請求項１、２、３、４、５又は６に記載の原稿画像読取装置において、速度差形成手段は、原稿画像読取手段の配置されたライン方向に対して原稿分離給送手段の原稿分離給送部における分離ローラの原稿の給送方向の左右の摩擦係数に左右差を付けて、上記原稿画像読取手段の配置されたライン方向に対して原稿を所定角度に傾けて読み取り部のコンタクトガラス上に搬送されるようにしたことを特徴とする原稿画像読取装置。
【請求項８】
請求項１、２、３、４、５、６又は７に記載の原稿画像読取装置において、速度差形成手段は、原稿画像読取手段の配置されたライン方向に対して原稿分離給送手段の原稿分離給送部における分離ローラの原稿の給送方向の左右の加圧力に左右差を付けて、上記原稿画像読取手段の配置されたライン方向に対して原稿を所定角度に傾けて読み取り部のコンタクトガラス上に搬送されるようにしたことを特徴とする原稿画像読取装置。
【請求項９】
原稿画像読取装置で読み取った原稿読み取り画像データで画像を形成する画像形成装置において、上記請求項１、２、３、４、５、６、７又は８に記載の原稿画像読取装置と、上記原稿画像読取装置で読み取った読み取り原稿の原稿読み取り画像データで画像を形成する画像形成部とからなることを特徴とする画像形成装置。
【請求項１０】
請求項９に記載の画像形成装置において、画像形成部は、電子写真方法の作像プロセスでトナー画像を形成することを特徴とする画像形成装置。
【請求項１１】
請求項９又は１０に記載の画像形成装置において、画像形成部は、ノイズ成分検知手段の読み取り画像データ上の筋のノイズ成分の検知により、上記原稿画像読取装置で読み取った画像データを消去することを特徴とする画像形成装置。
【請求項１２】
請求項９、１０又は１１に記載の画像形成装置において、画像形成部は、ノイズ成分検知手段の読み取る画像データ上の筋のノイズ成分の検知により、画像が形成された被記録体の排出先を変更して排出することを特徴とする画像形成装置。
【請求項１３】
請求項１２に記載の画像形成装置において、画像形成部は、ノイズ成分検知手段の読み取る画像データ上の筋のノイズ成分の検知により、画像が形成された被記録体の排出先を変更すると共に、画像が形成された被記録体の排出先変更を警告表示することを特徴とする画像形成装置。
【請求項１４】
請求項９、１０、１１、１２又は１３に記載の画像形成装置において、画像形成部は、ノイズ成分検知手段の読み取る画像データ上の筋のノイズ成分の検知により、画像が形成された被記録体の排出先を変更して排出すると共に、読み取り原稿の再セットを促す警告表示をすることを特徴とする画像形成装置。
【発明の詳細な説明】
【技術分野】
【０００１】
本発明は、原稿画像読取装置、及び、その原稿画像読取装置を具備する画像形成装置に関し、詳しくは、搬送される原稿の画像を読み取る原稿画像読取装置、及び、その原稿画像読取装置を具備して原稿画像読取装置で読み取った原稿読み取り画像データで画像を形成する印刷装置等のインクジェットプリンタや電子写真方法による帯電、書き込み、現像、転写、クリーニング等の作像プロセスを繰り返してトナー画像を形成する複写機、ファクシミリ装置、プリンタ、あるいはこれ等の複合機等の画像形成装置に関する。
【背景技術】
【０００２】
複写機、プリンタ、ファクシミリ等の画像形成装置に装備される原稿画像読取装置では、画像形成装置本体上のコンタクトガラス上に原稿を搬送して停止させた状態で原稿読取手段を一定速度で駆動して原稿画像面を走査する搬送ベルト方式と、固定された原稿読取手段上を一定速度で原稿を搬送する過程で原稿の画像面を読取るシートスルー方式が一般的で公知である（特許文献１を参照）。
このようなシートスルー方式の原稿送り装置を備えた原稿画像読取装置においては、原稿読取位置にコンタクトガラスを設置し、そのコンタクトガラス上に原稿を滑らせるように搬送する方式が一般的に採用されている。
然しながら、このような読取方式においては、読取位置におけるコンタクトガラス上にゴミ等の異物が付着した場合、異物付着部分の情報が異物によって読み取れず、異物の画像が、読み取り画像データ上で筋となって現れ、原稿を忠実に再現できないという不具合があった。
そこで、シートスルー方式のコンタクトガラスの長手方向に沿って案内レールを敷設し、この案内レール上に移動可能に清掃手段を設けて、必要に応じてコンタクトガラスを清掃できるようにして、コンタクトガラスの汚れに起因する画質の劣化を防止する画像読取装置も公知である（特許文献２を参照）。
更に、原稿トレイ上に載置された原稿を給送する給送部と、給送された原稿を露光位置である原稿ガラス上に案内するガイド手段と、原稿ガラス上を通過した原稿を排紙する排紙部とを有するＡＤＦを備え、原稿ガラス上を移動する原稿に露光を行い読み取る画像読取装置において、給送された原稿と、原稿ガラスとの隙間に気流をつくる気流形成手段を設けて、原稿搬送中に原稿ガラス上の塵埃等を除去して、読み取り画像に縦筋の発生を防止することも公知である（特許文献３を参照）。
【０００３】
主走査方向に沿ったシートスルー用のコンタクトガラスを有し、原稿を移動させて該原稿上の画像を読み取るシートスルータイプの画像読み取り装置であって、原稿供給機のコンタクトガラスに接する部分に汚れ基準面と清掃面とを有するローラを備え、シェーデイング実行後に前記汚れ基準面を読み取り、該読み取りにより得られた出力が所定の基準値以下か否かで前記コンタクトガラスの汚れの有無を検知し、前記汚れを検知した場合は、前記ローラを自動的に回転させることによって前記コンタクトガラスを自動的に清掃し、該清掃の動作を前記読み取りが行われていない時に行う画像読取装置も公知である（特許文献４を参照）。
原稿を支持するためのプラテンと、当該プラテン上を走行する原稿を所定原稿読取位置において読み取るために前記プラテンの下方に配置された光学読取手段と、前記プラテンをその上面に支持すると共に前記光学読取手段を収納するハウジング手段と、によって構成された画像読取装置において、前記ハウジング手段は、前記プラテンを前記光学読取手段の原稿読取位置に対して原稿の走行方向前後に移動可能に支持するように構成され、画像読取装置の電源投入時のイニシャライズ処理において、光学読取手段によって読み取られた前記プラテンをはさんで前記読取位置に配置された白基準プレートからの反射光に係る画像データに基づいてプラテン汚れチェックを行い、プラテン上に汚れが付着していると判断された場合には、プラテン移動手段を作動させることにより前記プラテンをスライド移動するようにして、シートスループラテン上にインク等の汚れが付着したり掠り傷が生じた場合に発生する画像データ上の黒スジ状ノイズを検知してこれに有効に対処するように構成した画像読取装置も公知である（特許文献５を参照）。
然し、シートスルー方式のコンタクトガラスに接する部分に汚れ基準面と清掃面とを有するローラを備えたり、読取位置に配置された白基準プレートからの反射光に係る画像データに基づいて、複雑な構成の汚れのチェックを行って、汚れたコンタクトガラスを移動したり、コンタクトガラス上の塵埃等の異物を除去する除去手段を備えていても、コンタクトガラス上に異物が付着した場合に、異物のデータか原稿データかを判断することが困難で、読み取り画像を忠実に容易に再現することが出来なかった。
従って、従来の原稿画像読取装置、及び、その原稿画像読取装置を具備する画像形成装置においては、シートスルー方式のコンタクトガラスに接する部分に汚れ基準面と清掃面とを有するローラを備えたり、読取位置に配置された白基準プレートからの反射光に係る画像データに基づいて、複雑な構成の汚れのチェックを行って、汚れたコンタクトガラスを移動したり、シートスルー方式のコンタクトガラス上の塵埃等の異物を除去する除去手段を備えていても、シートスルー方式のコンタクトガラス上に異物が付着した場合に、異物のデータか原稿データかを判断することが困難で、読み取り画像を忠実に容易に再現することが出来ないと言う不具合が生じていた。
【特許文献１】特開平１０−１７１１８１号公報
【特許文献２】特開平１１−７２９７５号公報
【特許文献３】特開２０００−１５１９１３公報
【特許文献４】特開２００２−３６８９６３公報
【特許文献５】特開２００３−６０８５３公報
【発明の開示】
【発明が解決しようとする課題】
【０００４】
そこで本発明の課題は、このような問題点を解決するものである。即ち、シートスルー方式のコンタクトガラス上に異物が付着した場合の異常画像と原稿画像とを簡単で見栄えが良く読み取り部から離れた構造で容易に確実に区別して原稿の読み取り画像を忠実に容易に高品質で読み取り、画像形成動作やその効率も優れて省資源で高速で高品質の画像を形成する原稿画像読取装置、及び、その原稿画像読取装置を具備する画像形成装置を提供することを目的とする。
【課題を解決するための手段】
【０００５】
上記目的を達成するために、請求項１に記載の本発明は、ライン状に配置された原稿画像読取手段に対して相対移動する原稿の画像を読み取る原稿画像読取装置において、原稿束を一枚ずつに分離して給送する原稿分離給送手段と、上記原稿分離給送手段で一枚ずつに分離して給送される原稿を読み取り部に搬送する搬送手段と、上記搬送手段で上記読み取り部に搬送される原稿の画像を読み取るライン状に配置された原稿画像読取手段と、上記原稿画像読取手段の配置されたライン方向に対して原稿を所定角度に傾けるように上記原稿分離給送手段の原稿束を一枚ずつに分離して給送する原稿分離給送部にて原稿の給送方向の左右の給送速度に給送速度差を形成する速度差形成手段とからなる原稿画像読取装置であることを最も主要な特徴とする。
又は、請求項２に記載の本発明は、請求項１に記載の原稿画像読取装置において、原稿画像読取手段は、読み取り画像データ上の筋のノイズ成分を検知するノイズ成分検知手段からなる原稿画像読取装置であることを主要な特徴とする。
又は、請求項３に記載の本発明は、に記載の本発明は、原稿画像読取装置において、請求項２に記載の原稿画像読取装置において、原稿画像読取手段は、ノイズ成分検知手段の読み取る読み取り画像データ上の筋のノイズ成分の検知により異物検知の警告をする警告手段からなる原稿画像読取装置であることを主要な特徴とする。
又は、請求項４に記載の本発明は、請求項２又は３に記載の原稿画像読取装置において、原稿画像読取手段は、ノイズ成分検知手段の読み取る読み取り画像データ上の筋のノイズ成分の検知により、読み取り部のコンタクトガラス上の異物を除去する異物除去手段からなる原稿画像読取装置であることを主要な特徴とする。
又は、請求項５に記載の本発明は、請求項１、２、３又は４に記載の原稿画像読取装置において、速度差形成手段は、原稿画像読取手段の配置されたライン方向に対して原稿分離給送手段の原稿分離給送部における分離ローラの原稿の給送方向の左右のローラ径に左右差を付けて、上記原稿画像読取手段の配置されたライン方向に対して原稿を所定角度に傾けて読み取り部のコンタクトガラス上に搬送されるようにしたことを特徴とする原稿画像読取装置。
【０００６】
又は、請求項６に記載の本発明は、請求項１、２、３、４又は５に記載の原稿画像読取装置において、速度差形成手段は、原稿画像読取手段の配置されたライン方向に対して原稿分離給送手段の原稿分離給送部における分離ローラの原稿の給送方向の左右の分離ローラの回転速度に左右差を付けて、上記原稿画像読取手段の配置されたライン方向に対して原稿を所定角度に傾けて読み取り部のコンタクトガラス上に搬送されるようにした原稿画像読取装置であることを主要な特徴とする。
又は、請求項７に記載の本発明は、請求項１、２、３、４、５又は６に記載の原稿画像読取装置において、速度差形成手段は、原稿画像読取手段の配置されたライン方向に対して原稿分離給送手段の原稿分離給送部における分離ローラの原稿の給送方向の左右の摩擦係数に左右差を付けて、上記原稿画像読取手段の配置されたライン方向に対して原稿を所定角度に傾けて読み取り部のコンタクトガラス上に搬送されるようにした原稿画像読取装置であることを主要な特徴とする。
又は、請求項８に記載の本発明は、請求項１、２、３、４、５、６又は７に記載の原稿画像読取装置において、速度差形成手段は、原稿画像読取手段の配置されたライン方向に対して原稿分離給送手段の原稿分離給送部における分離ローラの原稿の給送方向の左右の加圧力に左右差を付けて、上記原稿画像読取手段の配置されたライン方向に対して原稿を所定角度に傾けて読み取り部のコンタクトガラス上に搬送されるようにした原稿画像読取装置であることを主要な特徴とする。
又は、請求項９に記載の本発明は、原稿画像読取装置で読み取った原稿読み取り画像データで画像を形成する画像形成装置において、上記請求項１、２、３、４、５、６、７又は８に記載の原稿画像読取装置と、上記原稿画像読取装置で読み取った読み取り原稿の原稿読み取り画像データで画像を形成する画像形成部とからなる画像形成装置であることを最も主要な特徴とする。
【０００７】
又は、請求項１０に記載の本発明は、請求項９に記載の画像形成装置において、画像形成部は、電子写真方法の作像プロセスでトナー画像を形成する画像形成装置であることを主要な特徴とする。
又は、請求項１１に記載の本発明は、請求項９又は１０に記載の画像形成装置において、画像形成部は、ノイズ成分検知手段の読み取り画像データ上の筋のノイズ成分の検知により、上記原稿画像読取装置で読み取った読み取り原稿の蓄積する原稿読み取り画像データを消去する画像形成装置であることを主要な特徴とする。
又は、請求項１２に記載の本発明は、請求項９、１０又は１１に記載の画像形成装置において、画像形成部は、ノイズ成分検知手段の読み取る画像データ上の筋のノイズ成分の検知により、画像が形成された被記録体の排出先を変更して排出する画像形成装置であることを主要な特徴とする。
又は、請求項１３に記載の本発明は、請求項１２に記載の画像形成装置において、画像形成部は、ノイズ成分検知手段の読み取る画像データ上の筋のノイズ成分の検知により、画像が形成された被記録体の排出先を変更すると共に、画像が形成された被記録体の排出先変更を警告表示する画像形成装置であることを主要な特徴とする。
又は、請求項１４に記載の本発明は、請求項９、１０、１１、１２又は１３に記載の画像形成装置において、画像形成部は、ノイズ成分検知手段の読み取る画像データ上の筋のノイズ成分の検知により、画像が形成された被記録体の排出先を変更して排出すると共に、読み取り原稿の再セットを促す警告表示をする画像形成装置であることを主要な特徴とする。
【発明の効果】
【０００８】
本発明は、以下に説明するように構成されているので、請求項１の発明によれば、シートスルー方式のコンタクトガラス上に異物が付着した場合の異常画像と原稿画像とを簡単で見栄えが良く読み取り部から離れた構造で容易に区別して原稿の読み取り画像を忠実に容易に高品質で読み取ることが出来る原稿画像読取装置を提供することが出来るようになった。
請求項２の発明によれば、シートスルー方式のコンタクトガラス上に異物が付着した場合の異常画像と原稿画像とを簡単で見栄えが良く読み取り部から離れた構造で容易に確実に区別して原稿の読み取り画像を忠実に容易に高品質で読み取ることが出来る原稿画像読取装置を提供することが出来るようになった。
請求項３の発明によれば、シートスルー方式のコンタクトガラス上に異物が付着した場合の異常画像と原稿画像とを簡単で見栄えが良く読み取り部から離れた構造で容易に確実に区別すると共に異物検知の警告をして原稿の読み取り画像を忠実に容易に高品質で読み取ることが出来る原稿画像読取装置を提供することが出来るようになった。
請求項４の発明によれば、シートスルー方式のコンタクトガラス上に異物が付着した場合の異常画像と原稿画像とを簡単で見栄えが良く読み取り部から離れた構造で容易に確実に区別すると共に読み取り部のコンタクトガラス上の異物を除去して異物検知の警告をして原稿の読み取り画像を忠実に容易に高品質で読み取ることが出来る原稿画像読取装置を提供することが出来るようになった。
【０００９】
請求項５の発明によれば、原稿画像読取手段の配置されたライン方向に対して原稿分離給送手段の原稿分離給送部における分離ローラの原稿の給送方向の左右のローラ径に左右差を付けて、シートスルー方式のコンタクトガラス上に異物が付着した場合の異常画像と原稿画像とを簡単で見栄えが良く読み取り部から離れた構造で容易に区別して原稿の読み取り画像を忠実に容易に高品質で読み取ることが出来る原稿画像読取装置を提供することが出来るようになった。
請求項６の発明によれば、原稿画像読取手段の配置されたライン方向に対して原稿分離給送手段の原稿分離給送部における分離ローラの原稿の給送方向の左右の分離ローラの回転速度に左右差を付けて、シートスルー方式のコンタクトガラス上に異物が付着した場合の異常画像と原稿画像とを簡単で見栄えが良く読み取り部から離れた構造で容易に区別して原稿の読み取り画像を忠実に容易に高品質で読み取ることが出来る原稿画像読取装置を提供することが出来るようになった。
請求項７の発明によれば、原稿画像読取手段の配置されたライン方向に対して原稿分離給送手段の原稿分離給送部における分離ローラの原稿の給送方向の左右の摩擦係数に左右差を付けて、シートスルー方式のコンタクトガラス上に異物が付着した場合の異常画像と原稿画像とを簡単で見栄えが良く読み取り部から離れた構造で容易に区別して原稿の読み取り画像を忠実に容易に高品質で読み取ることが出来る原稿画像読取装置を提供することが出来るようになった。
【００１０】
請求項８の発明によれば、原稿画像読取手段の配置されたライン方向に対して原稿分離給送手段の原稿分離給送部における分離ローラの原稿の給送方向の左右の加圧力に左右差を付けて、シートスルー方式のコンタクトガラス上に異物が付着した場合の異常画像と原稿画像とを簡単で見栄えが良く読み取り部から離れた構造で容易に区別して原稿の読み取り画像を忠実に容易に高品質で読み取ることが出来る原稿画像読取装置を提供することが出来るようになった。
請求項９の発明によれば、シートスルー方式のコンタクトガラス上に異物が付着した場合の異常画像と原稿画像とを簡単で見栄えが良く読み取り部から離れた構造で容易に確実に区別して原稿の読み取り画像を忠実に容易に高品質で読み取り画像を形成する原稿画像読取装置を具備する画像形成装置を提供することが出来るようになった。
請求項１０の発明によれば、シートスルー方式のコンタクトガラス上に異物が付着した場合の異常画像と原稿画像とを簡単で見栄えが良く読み取り部から離れた構造で容易に確実に区別して原稿の読み取り画像を忠実に容易に高品質で読み取り高速で高品質の画像を形成する原稿画像読取装置を具備する画像形成装置を提供することが出来るようになった。
請求項１１の発明によれば、シートスルー方式のコンタクトガラス上に異物が付着した場合の異常画像と原稿画像とを簡単で見栄えが良く読み取り部から離れた構造で容易に確実に区別して原稿の読み取り画像を忠実に容易に高品質で読み取り、ノイズ成分検知手段の読み取る画像データ上の筋のノイズ成分の検知により原稿画像読取装置で読み取った読み取り原稿の蓄積する原稿読み取り画像データを消去して、高速で、更に、高品質の画像を形成する原稿画像読取装置を具備する画像形成装置を提供することが出来るようになった。
【００１１】
請求項１２の発明によれば、シートスルー方式のコンタクトガラス上に異物が付着した場合の異常画像と原稿画像とを簡単で見栄えが良く読み取り部から離れた構造で容易に確実に区別して原稿の読み取り画像を忠実に容易に高品質で読み取り、ノイズ成分検知手段の読み取る画像データ上の筋のノイズ成分の検知により画像が形成された被記録体の排出先を変更して画像形成動作やその効率も優れて省資源で画像を形成する原稿画像読取装置を具備する画像形成装置を提供することが出来るようになった。
請求項１３の発明によれば、シートスルー方式のコンタクトガラス上に異物が付着した場合の異常画像と原稿画像とを簡単で見栄えが良く読み取り部から離れた構造で容易に確実に区別して原稿の読み取り画像を忠実に容易に高品質で読み取り、ノイズ成分検知手段の読み取る画像データ上の筋のノイズ成分の検知により画像が形成された被記録体の排出先を変更すると共に、画像が形成された被記録体の排出先変更を警告表示して画像形成動作やその効率も優れて省資源で画像を形成する原稿画像読取装置を具備する画像形成装置を提供することが出来るようになった。
請求項１４の発明によれば、シートスルー方式のコンタクトガラス上に異物が付着した場合の異常画像と原稿画像とを簡単で見栄えが良く読み取り部から離れた構造で容易に確実に区別して原稿の読み取り画像を忠実に容易に高品質で読み取り、ノイズ成分検知手段の読み取る画像データ上の筋のノイズ成分の検知により画像が形成された被記録体の排出先を変更して排出すると共に、読み取り原稿の再セットを促す警告表示をして、画像形成動作やその効率も優れて省資源で高品質の画像を形成する画像を形成する原稿画像読取装置を具備する画像形成装置を提供することが出来るようになった。
【発明を実施するための最良の形態】
【００１２】
次に、本発明の実施の形態について図面を参照して詳細に説明する。
図１は本発明を適用する一実施形態に係る原稿画像読取装置の概略構成図、図２は原稿画像読取手段等の構成を示す平面図、図３は要部斜視図、図４は要部構成説明図である。図１乃至図４において、ライン状に配置された原稿画像読取手段４に対して相対移動する原稿の画像を読み取る原稿画像読取装置０は、原稿束の原稿（Ｏ）を一枚ずつに分離して給送する原稿分離給送手段１としての分離ローラ１ａと、分離ローラ１ａで一枚ずつに分離して給送される原稿（Ｏ）を読み取り部２としてのコンタクトガラス２ａ上に搬送する搬送手段３と、搬送手段３でコンタクトガラス２ａ上に搬送される原稿の画像を読み取るライン状に配置された原稿画像読取手段４の読み取り画像データ上の縦筋のノイズ成分を検知するノイズ成分検知手段４ａと、原稿画像読取手段４が配置されたライン方向に対して原稿（Ｏ）を所定角度（Ｘ）に傾けるように上記ライン方向に対して分離ローラ１ａのローラ径（Ｄ）に左右差を付けて、原稿束の原稿（Ｏ）を一枚ずつに分離して給送する原稿分離給送部にて原稿（Ｏ）の給送方向の左右の給送速度（Ｖ）に給送速度差を形成する速度差形成手段５とからなり、シートスルー方式のコンタクトガラス２ａ上に異物（Ｙ）が付着した場合の異常画像と原稿画像とを、簡単で見栄えが良くコンタクトガラス２ａから離れて読み取り画像データに悪影響を与えない構造で、容易に確実に区別して原稿（Ｏ）の読み取り画像を忠実に容易に高品質で読み取ることが出来る。
【００１３】
原稿画像読取装置０は、所定の読み取り位置に搬送された原稿（Ｏ）を、更に、所定の速度で搬送しながら、固定された原稿画像読取手段４によって原稿画像の読み取りを行うシートスルー方式であり、あるいは、画像形成装置５０の読み取った原稿読み取り画像データで画像を形成する印刷装置等のインクジェットプリンタや電子写真方法による帯電、書き込み、現像、転写、クリーニング等の作像プロセスを繰り返してトナー画像を形成する複写機、ファクシミリ装置、プリンタ、あるいはこれ等の複合機等に具備されている。
原稿画像読取装置０は、原稿（Ｏ）の原稿束をセットする原稿分離給送手段１の原稿セット部１ｂの原稿載せ台、原稿載せ台にセットされた原稿束から１枚毎に原稿を分離して給送する分離ローラ１ａ、給送された原稿を一次突き当てして整合すると共に、整合後の原稿を引き出して搬送する搬送手段３のレジスト部３ａのレジストローラ、原稿を反転させて原稿面を読み取り側（下方）に向けて搬送する搬送手段３の反転部３ｂの読み取りローラ３ｂ１、原稿の表面の第１面、あるいは、第２面の画像をコンタクトガラス２ａの下方より読み取らせる第１読取搬送部３ｃ、原稿表面読み取り後の原稿の裏面、第２面、あるいは、第１面の画像を読み取らせる第２読取搬送部３ｄ、表裏の読み取りが完了した原稿を機外、又は、スイッチバック部３ｅに搬送する排紙部３ｆ、再読み取りのためのスイッチバックを行うスイッチバック部３ｅ、読み取り完了後の原稿を搬送して積載保持する原稿スタック部３ｇ、これらの搬送動作を駆動する駆動部３ｈ、及び、一連の動作を制御する制御部３ｉ等から構成されている。
原稿画像読取手段４は、イメージセンサのＣＣＤでコンタクトガラス２ａ上に搬送される原稿の画像の画像データを読み取り、２値化、多値化、階調処理、変倍処理、編集加工処理等が施されると共に、ノイズ成分検知手段４ａで読み取り画像データ上の縦筋のノイズ成分を検知して、除去することが出来るようにもなっている。
更に、ノイズ成分検知手段４ａは、読み取る画像データ上の筋のノイズ成分の検知により、警告手段４ｂに異物（Ｙ）の警告を自動的に容易に表示するようになっている。
更に、ノイズ成分検知手段４ａは、読み取る画像データ上の筋のノイズ成分の検知により、コンタクトガラス２ａ上の異物（Ｙ）を、異物除去手段４ｃから搬送される原稿とコンタクトガラス２ａ上の隙間に気流を形成して、コンタクトガラス２ａ上の異物（Ｙ）を自動的に容易に除去することが出来るようにもなっている。
【００１４】
図４に図示するように、速度差形成手段５により原稿画像読取手段４の配置された図示の矢印（Ａ）方向のライン方向に対して分離ローラ１ａのローラ径（Ｄ）に左右差（Ｄ１＜Ｄ２）を付けて所定角度（Ｘ）に傾けた原稿を所定量分斜めに図示の矢印（Ｚ）の原稿の搬送方向に搬送させ第１読取搬送部３ｃを通過させることで、原稿の画像情報は斜め分傾きをもった画像情報としコンタクトガラス２ａ上にて読み取りが行われる。
コンタクトガラス２ａ上に、異物（Ｙ）が付着している場合、コンタクトガラス２ａ上にて、図示の矢印（Ａ）方向のライン方向に配置された原稿画像読取手段４で読み取られた画像は、縦に筋が入ったノイジーな画像となる。
そこで、ノイズ成分検知手段４ａが、この読み取り画像データの縦筋のノイズ成分を、ノイズ成分検知手段４ａで読み取り画像データ上の縦筋のノイズ成分を間違えにくく、且つ、確実に除去することが出来るように、原稿を分離ローラ１ａで所定角度（Ｘ）に傾け、コンタクトガラス２ａへ図示の矢印（Ｚ）の原稿の搬送方向に原稿搬送が行われる。
仮に、原稿に傾ける所定角度（Ｘ）と同じ傾きをもった原稿情報があったとしても、原稿がコンタクトガラス２ａに搬送された際、原稿の先端部も所定量の傾きをもつ事となるので、読み取る情報としては、傾きにより原稿の先端の最初に搬送される角部から原稿先端の最後の角部にかけて徐々に読み取り画像データとして読み取られ、区別選別され、ノイズ成分の選別が可能となる。
従って、ノイズ成分検知手段４ａよって、このノイズは、読み取り開始より筋が始まるので、原稿上の情報に、原稿傾け所定角度（Ｘ）と同等の傾きをもった直線の画像情報があったとしても選別除去が可能となるのである。
【００１５】
図３に図示するように、原稿画像読取装置０は、原稿束の原稿を一枚ずつに分離して給送する分離ローラ１ａと、分離ローラ１ａで一枚ずつに分離して給送される原稿をコンタクトガラス２ａ上に搬送する搬送手段３と、搬送手段３でコンタクトガラス２ａ上に搬送される原稿画像をラインＡに沿って読み取った画像データ上の縦筋のノイズ成分を検知するノイズ成分検知手段４ａと、ラインＡ方向に対して原稿を所定角度（Ｘ）に傾けるようにラインＡ方向に対して分離ローラ１ａの原稿の図示の矢印（Ｚ）方向の搬送方向の左側のローラ径（Ｄ１）と右側のローラ径（Ｄ２）に左右差（Ｄ１＜Ｄ２）を付けて、原稿束の原稿を一枚ずつに分離して給送する原稿分離給送部にて原稿の図示の矢印（Ｚ）方向の搬送方向の左側の給送速度（Ｖ１）と右側の給送速度（Ｖ２）に給送速度差（Ｖ１＜Ｖ２）を形成する速度差形成手段５とからなり、シートスルー方式のコンタクトガラス２ａ上に異物（Ｙ）が付着した場合の異常画像と原稿画像とを、簡単で見栄えが良くコンタクトガラス２ａから離れて読み取り画像データに悪影響を与えない構造で、容易に確実に区別して原稿の読み取り画像を忠実に容易に高品質で読み取ることが出来る。
図５は速度差形成手段の他の構成例を示す斜視図であり、同図において、原稿画像読取装置０は、原稿束を一枚ずつに分離して給送する分離ローラ１ａと、分離ローラ１ａで一枚ずつに分離して給送される原稿をコンタクトガラス２ａ上に搬送する搬送手段３と、搬送手段３でコンタクトガラス２ａ上に搬送される原稿の画像を読み取るライン状に配置された原稿画像読取手段４の読み取り画像データ上の縦筋のノイズ成分を検知するノイズ成分検知手段４ａと、原稿画像読取手段４の配置された図示のラインＡ方向に対して原稿を所定角度（Ｘ）に傾けるようにラインＡ方向に対して分離ローラ１ａの搬送方向Ｚの左側の分離ローラ１ａ１の回転速度（ｖ１）と右側の分離ローラ１ａ２の回転速度（ｖ２）に左右差（ｖ１＜ｖ２）を付けて、原稿束の原稿を一枚ずつに分離して給送する原稿分離給送部にて搬送方向Ｚの左側の給送速度（Ｖ１）と右側の給送速度（Ｖ２）に給送速度差（Ｖ１＜Ｖ２）を形成する速度差形成手段５とからなり、シートスルー方式のコンタクトガラス２ａ上に異物（Ｙ）が付着した場合の異常画像と原稿画像とを、簡単で見栄えが良くコンタクトガラス２ａから離れて読み取り画像データに悪影響を与えない構造で、容易に確実に区別して原稿の読み取り画像を忠実に容易に高品質で読み取ることが出来る。
【００１６】
図６は速度差形成手段の他の構成例を示し、分離ローラ１ａの摩擦係数（μ）をその軸方向にて異ならせている。即ち、一つの分離ローラ１ａの摩擦係数を軸方向左右位置によって異ならせることにより、原稿搬送系の原稿搬送下流部に対し斜めとなる所定の角度を保ち原稿を傾け搬送させる（意図的に斜行を起こす）。
このとき、原稿搬送系の原稿搬送下流部の方が搬送力を強くする事で一定の傾きを持たせ原稿を搬送する。
原稿画像読取装置０は、原稿束を一枚ずつに分離して給送する分離ローラ１ａと、分離ローラ１ａで一枚ずつに分離して給送される原稿をコンタクトガラス２ａ上に搬送する搬送手段３と、コンタクトガラス２ａ上に搬送される原稿の画像を読み取るライン状に配置された原稿画像読取手段４の読み取り画像データ上の縦筋のノイズ成分を検知するノイズ成分検知手段４ａと、ラインＡ方向に対して原稿を所定角度（Ｘ）に傾けるようにラインＡ方向に対して分離ローラ１ａの搬送方向Ｚの左右の摩擦係数（μ１、μ２）に左右差（μ１＜μ２）を付けて、原稿束の原稿を一枚ずつに分離して給送する原稿分離給送部にて搬送方向Ｚの左側の給送速度（Ｖ１）と右側の給送速度（Ｖ２）に給送速度差（Ｖ１＜Ｖ２）を形成する速度差形成手段５とからなり、シートスルー方式のコンタクトガラス２ａ上に異物（Ｙ）が付着した場合の異常画像と原稿画像とを、簡単で見栄えが良くコンタクトガラス２ａから離れて読み取り画像データに悪影響を与えない構造で、容易に確実に区別して原稿の読み取り画像を忠実に容易に高品質で読み取ることが出来る。
【００１７】
図７は他の実施形態の速度差形成手段の構成説明図であり、原稿画像読取装置０は、原稿束の原稿を一枚ずつに分離して給送する分離ローラ１ａと、分離ローラ１ａで一枚ずつに分離して給送される原稿をコンタクトガラス２ａ上に搬送する搬送手段３と、コンタクトガラス２ａ上に搬送される原稿の画像を読み取るライン状に配置された原稿画像読取手段４の読み取り画像データ上の縦筋のノイズ成分を検知するノイズ成分検知手段４ａと、ラインＡ方向に対して原稿を所定角度（Ｘ）に傾けるようにラインＡ方向に対して分離ローラ１ａの搬送方向Ｚの左右の加圧力（Ｆ１、Ｆ２）に左右差（Ｆ１＜Ｆ２）を付けて、原稿束の原稿を一枚ずつに分離して給送する原稿分離給送部にて搬送方向Ｚの左側の給送速度（Ｖ１）と右側の給送速度（Ｖ２）に給送速度差（Ｖ１＜Ｖ２）を形成する速度差形成手段５とからなり、シートスルー方式のコンタクトガラス２ａ上に異物（Ｙ）が付着した場合の異常画像と原稿画像とを、簡単で見栄えが良くコンタクトガラス２ａから離れて読み取り画像データに悪影響を与えない構造で、容易に確実に区別して原稿の読み取り画像を忠実に容易に高品質で読み取ることが出来る。
【００１８】
図８と図９において、画像形成装置５０は、請求項１乃至８の何れか一項に記載の原稿画像読取装置０と、原稿画像読取装置０で読み取った読み取り原稿の原稿読み取り画像データで画像を形成する画像形成部５１とからなり、シートスルー方式のコンタクトガラス２ａ上に異物（Ｙ）が付着した場合の異常画像と原稿画像とを簡単で見栄えが良く読み取り部から離れた構造で容易に確実に区別して原稿の読み取り画像を忠実に容易に高品質で読み取る画像を形成するようになっている。
電子写真方法の作像プロセスにより高速で高品質のトナー画像が形成される画像形成部５１の内部には、像担持体５１ａのドラム形状の感光体ドラムが回動可能に支持されて配置されている。
像担持体５１ａは、図示の矢印（Ｂ）方向の時計方向に回転駆動され、この時、帯電装置５１ｂによって、像担持体５１ａの表面が所定の電位に帯電される。
又、書き込みユニット５１ｃからは、原稿画像読取装置０の原稿画像読取手段４により原稿から読み取られた画像情報の読み取り画像データに応じて光変調されたレーザー光（Ｌ）が出射し、そのレーザー光（Ｌ）が帯電された像担持体５１ａの表面を露光し、これによって、像担持体５１ａの表面に静電潜像が形成される。
像担持体５１ａ表面に形成された静電潜像は現像装置５１ｄによって顕像化されてトナー画像が形成され、対向する転写装置５１ｅによって、像担持体５１ａと転写装置５１ｅの間に給送された被記録体（Ｐ）の記録用紙に転写されて記録される。
トナー画像が被記録体（Ｐ）の記録用紙に転写後の像担持体５１ａ表面は、クリーニング装置５１ｆによって清掃されて、次工程の画像形成に備えられる。
画像形成部５１の下部に給紙装置５２が配置され、被記録体（Ｐ）の記録用紙を収容した複数のいずれかの給紙カセット５２ａ、給紙カセット５２ｂ、給紙カセット５２ｃから図示の矢印（Ｃ）方向に送り出されて、その被記録体（Ｐ）の記録用紙の表面に、上述のように像担持体５１ａ表面に形成されたトナー画像が転写される。
【００１９】
次に、被記録体（Ｐ）の記録用紙は図示の矢印（Ｄ）方向に画像形成部５１内の定着装置５１ｇを通過し、この時の熱と圧力の作用によって、被記録体（Ｐ）の記録用紙の表面に転写されたトナー画像がその表面に定着される。
定着装置５１ｇを通過した被記録体（Ｐ）の記録用紙は、排紙ローラ対５１ｈによって排紙トレイ（Ａ）５１ｉ、又は、排紙トレイ（Ｂ）５１ｊに排出されて収納される。
画像形成装置５０の制御部５０ａによって、原稿画像読取装置０のノイズ成分検知手段４ａが読み取り画像データ上の縦筋のノイズ成分を検知により、原稿画像読取装置０で読み取って原稿画像読取手段４から転送された原稿読み取り画像データが書き込みユニット５１ｃのメモリに蓄積中の場合、書き込みユニット５１ｃのメモリの蓄積をキャンセルして消去すると共に、当該原稿読み取り画像データが転写された被記録体（Ｐ）の記録用紙が搬送されている場合には当該ＪＯＢの排出先の排紙トレイ（Ａ）５１ｉとは異なる排紙トレイ（Ｂ）５１ｊに排出先切り替え部材５１ｋで切り替えられて排出され、操作部５０ｂに対して、異常画像が発生した被記録体（Ｐ）の記録用紙を当該ＪＯＢの排出先の排紙トレイ（Ａ）５１ｉとは異なる像排紙トレイ（Ｂ）５１ｊに排出した旨と、最終の読み取り原稿を原稿画像読取装置０の原稿セット部１ｂに戻して再セットを促す警告表示をするようになっている。
【００２０】
原稿画像読取装置０のノイズ成分検知手段４ａが読み取り画像データ上の縦筋のノイズ成分を検知した信号を受信すると、制御部５０ａは、スタートで、読み取った原稿画像を無効化する縦筋のノイズ成分を検知した信号を受信したかを判断して（ステップ１）、無効化信号を受信していなければエンドで終了するが、無効化信号を受信したら、書き込みユニット５１ｃのメモリに読み取り画像データを備蓄中であるか判断して（ステップ２）、読み取った原稿画像メモリを備蓄中でなければエンドで終了するが、読み取った原稿画像メモリを備蓄中であれば、書き込みユニット５１ｃのメモリに蓄積する読み取り画像データをキャンセルして消去して（ステップ３）、被記録体（Ｐ）の記録用紙が給紙済みであるかを判断して（ステップ４）、被記録体（Ｐ）が給紙済みでなければエンドで終了するが、被記録体（Ｐ）が給紙済みであれば、当該ＪＯＢの排出先の指示が排紙トレイ（Ａ）５１ｉであるかを判断して（ステップ５）、当該ＪＯＢの排出先の指示が排紙トレイ（Ａ）５１ｉであれば、排出先の指示を排紙トレイ（Ｂ）５１ｊに切り替えて（ステップ６）、操作部５０ｂの表示部に排出先の切り替え表示「エラー発生紙を排紙トレイ（Ｂ）５１ｊに排出しました」と表示して（ステップ７）から（ステップ１０）へ、（ステップ５）で当該ＪＯＢの排出先の指示が排紙トレイ（Ａ）５１ｉでなければ、排出先の指示を排紙トレイ（Ａ）５１ｉに切り替えて（ステップ８）、操作部５０ｂの表示部に排出先の切り替え表示「エラー発生紙を排紙トレイ（Ａ）５１ｉに排出しました」と表示して（ステップ９）、当該ＪＯＢを中断して（ステップ１０）、操作部５０の表示部に原稿再セット表示「原稿を１枚戻してプリントキーを押して下さい」と表示して（ステップ１１）、エンドで終了する。
従って、シートスルー方式のコンタクトガラス２ａ上に異物（Ｙ）が付着した場合の異常画像と原稿画像とを簡単で見栄えが良く読み取り部から離れた構造で容易に確実に区別して原稿の読み取り画像を忠実に容易に高品質で読み取り、読み取り中の原稿の異常画像の発生を見過ごすことなく大量のミスコピーの発生を防止して、読み取り中の原稿の異物（Ｙ）による異常画像が形成された被記録体（Ｐ）の記録用紙のみを除外して排出先変更を警告表示して、一連の画像形成のＪＯＢの途中で読み取り中の原稿の異物（Ｙ）による異常画像が発生しても、それまでに形成した画像の被記録体（Ｐ）の記録用紙を無駄にすることなく簡単な操作で一連の画像形成のＪＯＢを再開することが出来て、画像形成動作やその効率も優れて省資源で高速で、更に、高品質の画像を形成する原稿画像読取装置０を具備する画像形成装置５０を提供することが出来るようになった。
【図面の簡単な説明】
【００２１】
【図１】本発明の実施の形態例を示す原稿画像読取装置を説明する正面図。
【図２】本発明の実施の形態例を示す原稿画像読取装置を説明する平面図。
【図３】本発明の実施の形態例を示す原稿画像読取装置の主要部を説明する説明図。
【図４】本発明の実施の形態例を示す原稿画像読取装置の他の主要部の状態を説明する説明図。
【図５】本発明の他の実施の形態例を示す原稿画像読取装置の主要部の状態を説明する説明図。
【図６】本発明の他の実施の形態例を示す原稿画像読取装置の主要部の状態を説明する説明図。
【図７】本発明の他の実施の形態例を示す原稿画像読取装置の主要部の状態を説明する説明図。
【図８】本発明の実施の形態例を示す原稿画像読取装置を具備する画像形成装置を説明する説明図。
【図９】本発明の実施の形態例を示す原稿画像読取装置を具備する画像形成装置の主要部の動作を説明するフローチャート。
【符号の説明】
【００２２】
０  原稿画像読取装置
１  原稿分離給送手段、
１ａ  分離ローラ、
１ａ１  分離ローラ、
１ａ２  分離ローラ、
１ｂ  原稿セット部
２  読み取り部、
２ａ  コンタクトガラス
３  搬送手段、
３ａ  レジスト部、
３ｂ  反転部、
３ｂ１  読み取りローラ、
３ｃ  第１読取搬送部、
３ｄ  第２読取搬送部、
３ｅ  スイッチバック部、
３ｆ  排紙部、
３ｇ  原稿スタック部、
３ｈ  駆動部、
３ｉ  制御部
４  原稿画像読取手段、
４ａ  ノイズ成分検知手段、
４ｂ  警告手段、
４ｃ  異物除去手段段
５  速度差形成手段          
５０  画像形成装置、
５０ａ  制御部、
５０ｂ  操作部
５１  画像形成部、
５１ａ  像担持体、
５１ｂ  帯電装置、
５１ｃ  書き込みユニット、
５１ｄ  現像装置、
５１ｅ  転写装置、
５１ｆ  クリーニング装置、
５１ｇ  定着装置、
５１ｈ  排紙ローラ対、
５１ｉ  排紙トレイ（Ａ）、
５１ｉ  排紙トレイ（Ｂ）、
５１ｋ  排出先切り替え部材
５２  給紙装置、
５２ａ  給紙カセット、
５２ｂ  給紙カセット、
５２ｃ  給紙カセット
【図１】
2006033531.tif 000003
【図２】
2006033531.tif 000004
【図３】
2006033531.tif 000005
【図４】
2006033531.tif 000006
【図５】
2006033531.tif 000007
【図６】
2006033531.tif 000008
【図７】
2006033531.tif 000009
【図８】
2006033531.tif 000010
【図９】
2006033531.tif 000011